(57)【特許請求の範囲】
【請求項１】
容器に入れられた温水又は熱湯に浸漬された布類を絞る温シップ絞り方法において、
該容器にフックを装着する工程と、前記布類をハンガーに吊り下げる工程と、該ハンガーを前記フックに挿通させて前記布類を浸漬させる工程と、前記ハンガーを引き抜いて弾接するローラー間に挟持させて、該ローラーに連結されたハンドルを回転させることによって該ローラーを回転させて前記布類を絞る工程とを備えていることを特徴とする温シップ絞り方法。
【発明の詳細な説明】
【技術分野】
【０００１】
本発明は、容器に入れられた温水または熱湯に浸漬されたタオルなどを絞る場合に、手袋を装着せずに、しかも、力を入れずに簡単に絞ることのできる温シップ絞り方法に関するものである。
【背景技術】
【０００２】
従来、痛みを伴う病気や疲労などの時に、家庭でできる手当法として生姜湯の湿布方法が知られている（非特許文献１）。この生姜湯の湿布方法は、７０度Ｃ位に沸かしたお湯におろし生姜の入った袋を浸して生姜湯を作り、この生姜湯にタオルなどを浸してゴム手袋で固く絞って患部に湿布（シップ）する方法である。
【０００３】
また、洗濯後の洗濯物などを力を入れずに簡単に絞る装置として旧式の一槽式洗濯機が公知になっている（特許文献１参照）。この洗濯機には、ローラ絞り装置が装備され、洗濯物が一対のローラ間に挿入されてローラ軸に一体となったハンドルまたは摘子の操作によってローラが回転して絞られる。
【０００４】
また、片手の不自由な人や高齢者でも水分などを含むタオルを手に強い力を必要とせず容易に絞ることができるタオル絞り器が知られている（特許文献２参照）。このタオル絞り器は、上下にローラーが配置され、上部のローラー回転軸にハンドルが連結されたもので、水分などを含んだタオルを上下のローラーに挟み込んでハンドルを操作して水分を絞り出している。
【先行技術文献】
【非特許文献】
【０００５】
【非特許文献１】東城百合子、「家庭でできる自然療法」あなたと健康社出版、昭和５３年５月２２日初版発行、Ｐ．７７〜７９
【特許文献】
【０００６】
【特許文献１】実開昭６２−１１７９８８号公報
【特許文献２】実登録第３１７５３３０号
【発明の概要】
【発明が解決しようとする課題】
【０００７】
しかしながら、非特許文献１に記載の生姜湯の湿布方法は、７０度Ｃ位の生姜湯に浸されたタオルなどを絞らなければならないため、ゴム手袋を使用しなければならず作業が煩わしく、しかも、絞った７０度Ｃ位の高温の生姜湯が飛び散り易いという問題があった。また、特許文献１に記載の一槽式洗濯機のローラ絞り装置および特許文献２に記載のタオル絞り器は、洗濯物や水分などを含んだタオルを一対のローラに挿入し上下のローラ間で絞られていることが記載されているが、温水または熱湯で浸漬された素手で触られない洗濯物やタオルなどを絞る絞り装置や絞り器に関する記載はされていない。
【０００８】
本発明は、上記問題に鑑みてなされたものであって、温水または熱湯に浸されたタオルなどの布類を素手で触ることなく、しかも、力を入れずに簡単に絞ることのできる温シップ絞り方法を提供することを目的とする。
【課題を解決するための手段】
【０００９】
上記の課題を解決するために請求項１に記載の温シップ絞り方法は、容器に入れられた温水又は熱湯に浸漬された布類を絞る温シップ絞り方法において、該容器にフックを装着する工程と、前記布類をハンガーに吊り下げる工程と、該ハンガーを前記フックに挿通させて前記布類を浸漬させる工程と、前記ハンガーを引き抜いて弾接するローラー間に挟持させて、該ローラーに連結されたハンドルを回転させることによって該ローラーを回転させて前記布類を絞る工程とを備えているものである。
【発明の効果】
【００１０】
請求項１に記載の温シップ絞り方法は、容器に入れられた温水又は熱湯に浸漬された布類を絞る温シップ絞り方法において、該容器にフックを装着する工程と、前記布類をハンガーに吊り下げる工程と、該ハンガーを前記フックに挿通させて前記布類を浸漬させる工程と、前記ハンガーを引き抜いて弾接するローラー間に挟持させて、該ローラーに連結されたハンドルを回転させることによって該ローラーを回転させて前記布類を絞る工程とを備えているので、温水又は熱湯に浸漬された布類をゴム手袋などを使って絞る必要がないので作業が煩わしくなく、また、温水又は熱湯が飛び散る心配もなく、しかも、力を入れずに簡単に絞ることができる。
【図面の簡単な説明】
【００１１】
【図１】本発明に係る温シップ絞り器の斜視図である。
【図２】本発明に係る温シップ絞り器の一部断面図である。
【図３】本発明に係る温シップ絞り器のハンガーの正面図である。
【図４】本発明に係る温シップ絞り器にガスコンロが載置された斜視図である。
【発明を実施するための形態】
【００１２】
以下の実施例にて、本発明に係る温シップ絞り器および温シップ絞り方法について詳述する。なお、本発明については、実施例の説明だけに限定されるものでなく、本発明の要旨を逸脱しない範囲で適宜変更可能である。
【実施例】
【００１３】
本実施例では、生姜湯が入れられた容器にタオルが浸漬された温シップ絞り器および温シップ絞り方法について説明する。図１は、本発明に係る温シップ絞り器の斜視図である。図１において、温シップ絞り器１は、主として、本体２、容器３、フック４およびハンガー５とから構成されている。また、本体２は、容器３を載せる基台２ｃ、弾接する上下段のローラー６，６が枢着されるとともに対向するサイドパネル２ａ，２ａおよび基台２ｃとサイドパネル２ａ，２ａとを固着するとともに対向するサイドフレーム２b、２bとから一体となって構成されている。
【００１４】
基台２ｃの上面には、容器３を載せる容器支持部２ｃ’が放射線状に４箇所設けられている。また、サイドパネル２ａ，２ａには、ローラー６，６が上下段に鉛直方向からやや容器３側に傾いた状態で回転自在に弾接するように枢着されている。一方、ローラー６，６の下方には、後述するタオルＴが絞られた生姜湯の滴を受けて容器３に回収するトレイ７がサイドパネル２ａ，２ａに設けられている。また、トレイ７は、滴が下辺の中央に回収されて容器３に流れるように下辺の左右が絞られるように形成されている。
【００１５】
下段のローラー６の一側に設けられたギア（カバー９に隠れて見えない）に歯合するギア（カバー９に隠れて見えない）に軸支されたハンドル８が回転自在に設けられ、歯合するギア同士をカバー９が覆っている。また、４箇所の容器支持部２ｃ’に載せられた容器３の上縁３ａにワンタッチで着脱できるフック４が装着されている。ここでは、ハンドル８が軸支されたギアと下段のローラー６の一側に設けられたギアが歯合している場合について説明してあるが、下段のローラー６の軸に直接ハンドル８を連結させることもできる。また、ここでは、上下段のローラー６、６の一連式絞りとなっているが、絞り方向に複数の連式にすることもできる。
【００１６】
図２は、本発明に係る温シップ絞り器の一部断面図である。また、図３は、本発明に係る温シップ絞り器のハンガーの正面図である。図２および図３において、容器３の上縁３ａを挟むように装着されたフック４の容器側３の内方に延出した先端部４ａは、上方に弓形に反るように形成されている。ここで、フック４を装着する時は、レバー４ｃを枢軸４ｂに対して反時計回りに回動させると、レバー４ｃと一体に形成された押圧部４ｄも反時計回りに回動されて容器３の側面を押圧することによってしっかり固定される。一方、フック４を取り外す時は、レバー４ｃを枢軸４ｂに対して時計回りに回動させると、レバー４ｃと一体に形成された押圧部４ｄも時計回りに回動されて容器３の側面から離脱する。
【００１７】
フック４の先端部４ａに挿通するようにハンガー５の略中央のやや上部にスリット５ｂが形成され、スリット５ｂの上方にハンガー５を持ち上げ易いように丸孔５ｄが形成されている。また、スリット５ｂのやや下方にタオルＴを吊り下げる開口部５ｃが形成され、タオルＴを吊り下げ易いように両端部と中央部にやや大きめな開口部になるように形成されるとともに、ハンガー５の上辺５ａは、中央部が凹部状に窪んだ形状になっている。
【００１８】
図４は、本発明に係る温シップ絞り器にガスコンロが載置された斜視図である。図１と重複する部分については、説明を省略する。基台２ｃの４箇所の容器支持部２ｃ’に加熱器の一例としてガスコンロ１０が載置され、ガスコンロ１０の上に容器３が載せられ、容器３に入れられた温水または熱湯を一定の温度に保持している。ここでは、ガスコンロ１０の場合について説明してあるが、もちろん、その他の加熱器でも良い。
【００１９】
次に、温シップ絞り方法について、図４を使って説明する。容器３の中の水をガスコンロ１０で７０度Ｃ位に沸かし、おろし生姜を入れた袋を入れて生姜湯を作り容器３の上縁３ａにフック４を装着させる。それから、ハンガー５の開口部５ｃにタオルＴを吊り下げて略２つ折りにし、スリット５ｂをフック４の先端部４ａに挿通させてハンガー５をフック４に懸架させ、タオルＴ全体を生姜湯に浸す。
【００２０】
ここでは、容器３に装着させたフック４にタオルＴを吊り下げたハンガー５を懸架させてタオルＴ全体を生姜湯に浸した場合について説明してあるが、先に、タオルＴを吊り下げたハンガー５をフック４に懸架させてから、フック４を容器３の上縁３ａに装着させても良い。また、布類の一例としてタオルを使用した場合について説明してあるが、タオルに限定されることなく柔らかい布であっても良い。さらに、フック４の容器側３の内方に延出した部分にタオルＴを吊り下げたハンガー５が１セットだけ挿通された場合を説明してあるが、タオルＴを吊り下げたハンガー５を複数セットにしてフック４に挿通させることもできる。
【００２１】
タオルＴ全体が十分浸漬されたら、ハンガー５の丸孔５ｄに指を掛けてフック４からタオルＴが吊り下げられたハンガー５を引き抜いて、ハンガー５の上辺５ａを上下のローラー６，６間に挿通させながらハンドル８を回転させると、軸支されたギアと下段のローラー６の一側のギアが噛み合って回転し、それに伴って弾接している上段のローラー６も回転しタオルＴが挟持されながら絞られていく。このタオルＴが吊り下げられたハンガー５が上下のローラー６、６に挟持され始める時に、上辺５ａの中央部の凹部を挟持することがないのでハンドル８に掛かるトルクを小さくすることができハンドル８を回し易くなる。また、上辺５ａの形状は、中央部が窪んだ形状となっているが、もちろん、これに限定されるものではなく凹凸状に形成されていれば良い。
【００２２】
そして、絞られたタオルＴの滴がトレイ７の中央部に集められて容器３に回収されるとともに、絞られたタオルＴが絞り出される。こうして、絞り出されたタオルＴを患部に当てることによって生姜湿布がされる。
【００２３】
本実施例では、加熱器の一例であるガスコンロ１０の上に容器３が載せられた場合について説明してあるが、図１のようにガスコンロ１０を無くして７０度Ｃ位の生姜湯が入った容器３だけを基台２ｃの４箇所の容器支持部２ｃ’に載置しても良い。また、本実施例では、温湿布の一例として７０度Ｃ位の生姜湯の場合について説明してあるが、生姜湯の場合に限定されたものではなく、生姜湯以外の生薬の入った温水または熱湯に布類を浸漬させた温湿布の場合にも広く適用できる。
【産業上の利用可能性】
【００２４】
昔から、痛みを伴う病気や疲労などの時に、生姜湿布が有効な手当て方法と言われており、現在も家庭でできる手当て方法として広く利用されている。また、生姜湯以外の生薬の有効成分を患部に湿布（シップ）する温シップ方法も広く利用されている。
【符号の説明】
【００２５】
１    温シップ絞り器
２    本体
２ａ    サイドパネル
２ｂ    サイドフレーム
２ｃ    基台
２ｃ’    容器支持部
３    容器
３ａ    上縁
４    フック
４ａ    先端部
４ｂ    枢軸
４ｃ    レバー
４ｄ    押圧部
５    ハンガー
５ａ    上辺
５ｂ    スリット
５ｃ    開口部
５ｄ    丸孔
６    ローラー
７    トレイ
８    ハンドル
９    カバー
１０    ガスコンロ
Ｔ    タオル
【図１】
0005637545.tif 000002
【図２】
0005637545.tif 000003
【図３】
0005637545.tif 000004
【図４】
0005637545.tif 000005